(57)【要約】【課題】装着作業が簡単で足場の外方にはみ出す固定用のクサビ部材のような突起部材のない建築足場用幅木を提供すること。【解決手段】建築足場用幅木１は幅木本体４と、幅木本体４の長手方向の一端において上下方向に間隔を開けて配置され支柱に係合される湾曲部を有し先端が外方向に向いた２本の第１のフック７と、幅木本体４の他端に装着された揺動プレート１５とを有し、揺動プレートには２本の第１のフック７に対応する２本の第２のフック２３が形成されている。揺動プレート１５は第２の揺動位置において第２のフック２３が第１のフック７方向に接近するため、隣接する支柱間に取り付けることができる。一旦取り付けた後には支柱から取り外せないように揺動プレート１５を第１の揺動位置に揺動させ、ロック爪３０を作動させて揺動プレート１５が揺動しないようにする。【選択図】図３
2011038354.tif 000002
【特許請求の範囲】
【請求項１】
所定間隔で立設配置された複数の支柱と、同支柱と交差するように配設された複数の梁部材と、同梁部材又は同支柱に対して架設された通路用の踏み板とから基本的骨格が構築された建築足場であって、同建築足場における前記踏み板の縁部に沿った足元位置に配置され、
所定間隔を開けて隣接配置された第１及び第２の前記支柱の間を封鎖するように同第１及び第２の支柱の前記踏み板側に面して配置される幅木本体と、
前記幅木本体の長手方向の一端又は一端付近に上下方向に間隔を開けて配置され、前記第１の支柱の外周の半分以下の領域を包囲するように前記第１の支柱に係合される湾曲部を有し先端が外方向に向いた複数の第１のフック部材と、
前記幅木本体の長手方向の他端又は他端付近に上下方向に間隔を開けて配置され、前記第２の支柱の外周の半分以下の領域を包囲するように前記第２の支柱に係合される湾曲部を有し先端が外方向に向いた複数の第２のフック部材と、
前記第１のフック部材の基部位置において前記湾曲部に対して交差するように外方向に向って延出され、前記湾曲部と協働して前記第１の支柱を挟持する第１の外方延出面と、
前記第２のフック部材の基部位置において前記湾曲部に対して交差するように外方向に向って延出され、前記湾曲部と協働して前記第２の支柱を挟持する第２の外方延出面と、を備え、
前記第２のフック部材及び前記第２の外方延出面は前記幅木本体に対して揺動可能に支持された揺動部材に形成され、同揺動部材は第１の揺動位置と第２の揺動位置の間を揺動する際にロック機構によって第１の揺動位置において揺動不能に保持可能とされ、
前記踏み板の縁部に沿った取り付け状態で前記揺動部材が第１の揺動位置にある場合においては前記第１及び第２のフック部材が前記第１及び第２の支柱にそれぞれ係合して前記幅木本体を前記第１及び第２の支柱の間を封鎖する位置から前記踏み板方向に移動させることが不能となり、前記揺動部材が第２の揺動位置にある場合においては前記第２のフック部材が第１の揺動位置よりも前記第１のフック部材方向に接近し前記第１及び第２のフック部材の間隔が第１の揺動位置にある場合よりも狭くなることによって前記第１及び第２の支柱に対するクリアランスが生じ前記幅木本体を前記踏み板方向に移動させることが可能となることを特徴とする建築足場用幅木。
【請求項２】
前記ロック機構は前記幅木本体の前記踏み板側を向いた内面側に配設されていることを特徴とする請求項１に記載の建築足場用幅木。
【請求項３】
前記揺動部材は前記幅木本体の前記踏み板側を裏側とした外面側に配設され、第１の揺動位置において前記幅木本体に形成された透孔を貫通して内面側に突出する突出部を備え、前記ロック機構は前記突出部に対して係合されることを特徴とする請求項２に記載の建築足場用幅木。
【請求項４】
前記突出部にはスリットが形成され、前記ロック機構は前記スリットに対して係脱可能に挿入される挿入片であることを特徴とする請求項３に記載の建築足場用幅木。
【請求項５】
前記幅木本体の外面に取り付けられた前記第１及び第２のフック部材に隣接した位置にはそれぞれ透孔が形成され、前記各第１及び第２のフック部材は取り付け位置からそれぞれ対応する前記透孔に面した位置に延出させられていることを特徴とする請求項１〜４のいずれかに記載の建築足場用幅木。
【請求項６】
前記幅木本体の前記踏み板側を向いた内面側には横長の隙間プレートが前記幅木本体の下部寄り位置において回動軸によって回動可能に支持されており、前記隙間プレートは前記回動軸を基部として倒伏する倒伏位置と、前記幅木本体に重複状に配置される収納位置を取り得ることを特徴とする請求項１〜５のいずれかに記載の建築足場用幅木。
【発明の詳細な説明】
【技術分野】
【０００１】
本発明は、建築足場の踏み板の縁部に沿った足元位置に配置されるに配設される足場用の幅木に関するものである。
【背景技術】
【０００２】
一般に建築現場等に仮設される建築足場は、所定の間隔で立設された支柱と、梁部材（手摺り、ブラケット等）とを縦横に組み合わせ梁部材に踏み板を架設することで基本的骨格が構築されている。作業者はこの踏み板上で作業をし、また踏み板上を移動する。建築足場の一例として特許文献１を挙げる。
しかしながら、作業者が作業中に踏板上で足の位置を動かす場合や踏板を移動する場合に必ずしも足下を注視しているわけではない。むしろ作業に没頭すれば足下はそれほど気にせずに踏み板上で行動することが多いといえる。その場合に思わず踏み板の外側に足を踏み外してしまうような場合がある。足場には支柱や手摺りがあるため作業者が落下するわけではないが、体勢が崩れて物が落下したりする原因ともなる。また、作業者の心理的にもこのような踏み外しがあると思うと作業に没頭できない可能性もある。
【０００３】
そのため、従来から種々の建築足場用幅木が提案されている。このような建築足場用幅木の一例として特許文献２を挙げる。この特許文献２の建築足場用幅木は作業者の足の踏み外しを防止できるとともに、脱着作業が容易なものである。この幅木の足場への具体的な取り付け方法は次の通りである。その図８〜図１０に示すように、一方のフック２１を一方の支柱３１ａ側に係合させ、他方の支柱３１ｂ側に配置される他方のクサビ固定部７のクサビ板８をハンマー等で叩き込むことでクサビ板８と第１の湾曲部１３とによって他方の支柱３１ｂを押圧して容易に足場に取り付けることができる。また、取り付けた状態でクサビ板８を逆側から叩くことでクサビ板８を緩めて建築足場用幅木を取り外すことができる。
【先行技術文献】
【特許文献】
【０００４】
【特許文献１】特開平７−５４４８０号公報
【特許文献２】特開２００５−１８８０２３号公報
【発明の概要】
【発明が解決しようとする課題】
【０００５】
ところが、上記特許文献２ではいくつかの解決すべき課題がある。
まず、固定させるために一々ハンマーでクサビ板８を叩き込まなければならず、作業性がよくなかった。また、クサビ板８を斜め方向とはいえ足場の内側から打ち込むため、打ち込んだクサビ板８が足場の外側に突出することとなる。建築足場には安全のため全体をネットで包囲することがあるが、このように建築足場用幅木においてクサビ板８が張り出すとネットに引っ掛かってしまいネットが破損したりネットの着脱に支障が出たりする場合があった。そのため、従来から装着作業が簡単で踏み板の縁部に沿った足元位置にクサビ板のような足場からはみ出すような突起部材がなくシンプルな外観で配置できる建築足場用幅木が求められていた。
本発明は、上記課題を解決するためのものである。その目的は、装着作業が簡単で足場の外方にはみ出す固定用のクサビ部材のような突起部材のない建築足場用幅木を提供することにある。
【課題を解決するための手段】
【０００６】
上記課題を解決するために、請求項１の発明では、所定間隔で立設配置された複数の支柱と、同支柱と交差するように配設された複数の梁部材と、同梁部材又は同支柱に対して架設された通路用の踏み板とから基本的骨格が構築された建築足場であって、同建築足場における前記踏み板の縁部に沿った足元位置に配置され、所定間隔を開けて隣接配置された第１及び第２の前記支柱の間を封鎖するように同第１及び第２の支柱の前記踏み板側に面して配置される幅木本体と、前記幅木本体の長手方向の一端又は一端付近に上下方向に間隔を開けて配置され、前記第１の支柱の外周の半分以下の領域を包囲するように前記第１の支柱に係合される湾曲部を有し先端が外方向に向いた複数の第１のフック部材と、前記幅木本体の長手方向の他端又は他端付近に上下方向に間隔を開けて配置され、前記第２の支柱の外周の半分以下の領域を包囲するように前記第２の支柱に係合される湾曲部を有し先端が外方向に向いた複数の第２のフック部材と、前記第１のフック部材の基部位置において前記湾曲部に対して交差するように外方向に向って延出され、前記湾曲部と協働して前記第１の支柱を挟持する第１の外方延出面と、前記第２のフック部材の基部位置において前記湾曲部に対して交差するように外方向に向って延出され、前記湾曲部と協働して前記第２の支柱を挟持する第２の外方延出面と、を備え、前記第２のフック部材及び前記第２の外方延出面は前記幅木本体に対して揺動可能に支持された揺動部材に形成され、同揺動部材は第１の揺動位置と第２の揺動位置の間を揺動する際にロック機構によって第１の揺動位置において揺動不能に保持可能とされ、前記踏み板の縁部に沿った取り付け状態で前記揺動部材が第１の揺動位置にある場合においては前記第１及び第２のフック部材が前記第１及び第２の支柱にそれぞれ係合して前記幅木本体を前記第１及び第２の支柱の間を封鎖する位置から前記踏み板方向に移動させることが不能となり、前記揺動部材が第２の揺動位置にある場合においては前記第２のフック部材が第１の揺動位置よりも前記第１のフック部材方向に接近し前記第１及び第２のフック部材の間隔が第１の揺動位置にある場合よりも狭くなることによって前記第１及び第２の支柱に対するクリアランスが生じ前記幅木本体を前記踏み板方向に移動させることが可能となるようにしたことをその要旨とする。
【０００７】
請求項２の発明では請求項１に記載の発明の構成に加え、前記ロック機構は前記幅木本体の前記踏み板側を向いた内面側に配設されていることをその要旨とする。
請求項３の発明では、請求項２に記載の発明の構成において、前記揺動部材は前記幅木本体の前記踏み板側を裏側とした外面側に配設され、第１の揺動位置において前記幅木本体に形成された透孔を貫通して内面側に突出する突出部を備え、前記ロック機構は前記突出部に対して係合されることをその要旨とする。
請求項４の発明では、請求項３に記載の発明の構成において、前記突出部にはスリットが形成され、前記ロック機構は前記スリットに対して係脱可能に挿入される挿入片であることをその要旨とする。
請求項５の発明では、請求項１〜４のいずれかに記載の発明の構成において、前記幅木本体の外面に取り付けられた前記第１及び第２のフック部材に隣接した位置にはそれぞれ透孔が形成され、前記各第１及び第２のフック部材は取り付け位置からそれぞれ対応する前記透孔に面した位置に延出させられていることをその要旨とする。
請求項６の発明では、請求項１〜５のいずれかに記載の発明の構成において、前記幅木本体の前記踏み板側を向いた内面側には横長の隙間プレートが前記幅木本体の下部寄り位置において回動軸によって回動可能に支持されており、前記隙間プレートは前記回動軸を基部として倒伏する倒伏位置と、前記幅木本体に重複状に配置される収納位置を取り得ることをその要旨とする。
【０００８】
このような構成において建築足場用幅木を踏み板の縁部に沿った足元位置に配置させる場合には、まず揺動部材を第２の揺動位置に配置させる。つまり第２のフック部材を第１のフック部材方向に接近させて前記第１及び第２のフック部材の間隔が第１の揺動位置にある場合よりも狭い状態とする。そして揺動部材が第２の揺動位置にある状態で第１及び第２のフック部材を第１及び第２の支柱間に配置するようにする。
揺動部材をこの第２の揺動位置に配置させる理由は次のようなものである。
第１及び第２のフック部材の湾曲部を同時に第１及び第２の支柱に係合させる場合にはある程度の第１及び第２の支柱に対するクリアランスがないとそれらフック部材の先端が第１及び第２の支柱に干渉してしまい係合させられない。第１及び第２のフック部材間の距離が長い揺動部材が第１の揺動位置にある状態では第１及び第２のフック部材を第１及び第２の支柱に取り付けることはできない（逆に、そうだからこそ一旦取り付けると第１の揺動位置にあれば外れない）。
第２の揺動位置では第１及び第２のフック部材間の距離が第１の揺動位置にある場合に比較して短くなっている。そのため、揺動部材をこの第２の揺動位置に配置させて第１及び第２のフック部材の距離を短く（間隔を狭く）することで第１及び第２の支柱に係合させる際のクリアランスを与え、第１及び第２のフック部材の先端が第１及び第２の支柱に干渉しないようにするわけである。それによって揺動部材を第２の揺動位置に配置させることができ第１及び第２のフック部材の先端を第１及び第２の支柱に干渉させずに、第１及び第２のフック部材の湾曲部を第１及び第２の支柱に係合させることが可能となる。また第１及び第２のフック部材の湾曲部と外方延出面によって挟持するようにしたのは外方延出面を設けないと第１及び第２の支柱に取り付けた状態でフック部材に支柱に対して湾曲部に沿った移動を許容することとなり、そのような移動がされると建築足場用幅木は取り付け位置から外れてしまう可能性があるからである。
【０００９】
次いで、第１及び第２のフック部材を第１及び第２の支柱間に配置した状態で、揺動部材を第１の揺動位置方向に揺動させる。つまり第１及び第２の支柱に対するクリアランスがない状態とする。そして、ロック機構によって揺動部材を第１の揺動位置にて保持させる。このような揺動部材が第１の揺動位置にある状態では第１及び第２の支柱の間を封鎖する位置にある幅木本体を踏み板方向に移動させようとしても、湾曲部におけるフック部材の先端寄り部分が第１及び第２の支柱に干渉してしまい移動させることができない。つまり、幅木本体を第１及び第２の支柱の間を封鎖する位置に移動しないように配置することが可能となる。
【００１０】
ここに、ロック機構は幅木本体の踏み板側を向いた内面側に配設されていることが、操作上好ましい。またロック機構は、揺動部材は幅木本体の踏み板側を裏側とした外面側に配設され、第１の揺動位置において幅木本体に形成された透孔を貫通して内面側に突出する突出部を備え、突出部に対して係合されるものであることが好ましい。より具体的には突出にはスリットが形成され、ロック機構はそのスリットに対して係脱可能に挿入される挿入片であることが好ましい。
また、幅木本体の外面に取り付けられた第１及び第２のフック部材に隣接した位置にはそれぞれ透孔が形成され、各第１及び第２のフック部材は取り付け位置からそれぞれ対応する透孔に面した位置に延出させられていることが好ましい。これによって、幅木本体を同方向に積み重ねた場合に幅木本体外面に取り付けられた第１及び第２のフック部材は隣接する幅木本体の内側から透孔内を通過させて幅木本体に干渉させないような構成とすることができるため、収納や運搬の際に建築足場用幅木がかさばることがない。
また、幅木本体の踏み板側を向いた内面側には横長の隙間プレートが幅木本体の下部寄り位置において回動軸によって回動可能に支持されており、隙間プレートは回動軸を基部として倒伏する倒伏位置と、幅木本体に重複状に収納される収納位置を取り得るものであることが好ましい。踏み板と幅木本体との間に隙間がある場合には隙間プレートによってこの隙間を埋めることが可能となる。
【発明の効果】
【００１１】
上記各請求項の発明のように構成すれば、装着作業が簡単で足場の外方にはみ出す固定用のクサビ部材のような突起部材のない建築足場用幅木を提供することが可能となる。
【図面の簡単な説明】
【００１２】
【図１】（ａ）及び（ｂ）は本発明の実施例の建築足場用幅木の内側及び外側から見た斜視図。
【図２】図１（ａ）において隙間プレートを倒伏させた状態の斜視図。
【図３】（ａ）は同じ建築足場用幅木の一部省略正面図、（ｂ）は同じく一部省略背面図。
【図４】（ａ）は同じ建築足場用幅木の一端側の拡大斜視図、（ｂ）は同じ建築足場用幅木の他端側の分解斜視図
【図５】同じ建築足場用幅木において揺動プレートが第１の揺動位置にある場合のの中間を省略して示す平面図。
【図６】同じ建築足場用幅木において揺動プレートが第２の揺動位置にある場合のの中間を省略して示す平面図。
【図７】同じ建築足場用幅木において隙間プレートが倒伏可能方向でのロック機構のロック方法を説明する説明図。
【図８】図７の状態からロックを実行した状態を説明する説明図。
【図９】同じ建築足場用幅木において隙間プレートが倒伏できない方向でのロック機構のロック方法を説明する説明図。
【図１０】図９の状態からロックを実行した状態を説明する説明図。
【図１１】（ａ）は同じ建築足場用幅木において隙間プレートが吊り下げられた状態を説明する模式図、（ｂ）は同じく隙間プレートが倒伏された状態を説明する模式図、
【図１２】同じ建築足場用幅木の足場への固定状態を説明する斜視図。
【図１３】同じ建築足場用幅木の足場へ固定状態を説明する平面図。
【図１４】図１３において建築足場用幅木を装着する前の足場の状態を説明する平面図。
【図１５】（ａ）及び（ｂ）はロック爪の前後方向からの斜視図、（ｃ）はロック爪の側面図。
【図１６】同じ建築足場用幅木の装着方法であって（ａ）は装着途中（ｂ）は装着完了状態を説明する説明図。
【図１７】同じ建築足場用幅木を複数積載した状態の一部省略斜視図。
【発明を実施するための形態】
【００１３】
以下、本発明の具体的な実施例を図面に基づいて説明する。
図１〜図３に示すように、建築足場用幅木（以下、単に幅木という）１は一定の厚みの屈曲板２と補強プレート３から構成された幅木本体板４を主要構成の一部として備えている。屈曲板２は長方形形状の鋼板の上下端縁を同方向にチャンネル状に屈曲させた屈曲端部としての屈曲部２ａ，２ｂを有し、その左右両端に屈曲部２ａ，２ｂの幅に対応した幅を有する補強プレート３ａ，３ｂがそれぞれ固定されて長尺の幅木本体板４が構成されている。屈曲部２ａ，２ｂは屈曲板２の上下縁部分が共に内面方向（取り付け時に通路側）に向かって直角に屈曲されて張り出すとともにその先端が互いに対向する方向に更に屈曲されることで構成されている。
以下においては幅木本体板４の取り付け時に通路側を向く面を内面、外側を向く面を外面とする。また、左とは図３（ａ）における左側を、右とは同図における右側を言うものとする。
図３及び図４に示すように、幅木本体板４の長手方向両端寄りにおける上下に離間した位置には長方形形状の透孔５が形成されている。計４つの透孔５は上下及び左右に対称となるような位置関係に配置されている。
【００１４】
図１〜図４に示すように、幅木本体板４の外面において右端部側の上下の透孔５の内側の隣接した位置にはそれぞれフック７が配設されている。上下一対のフック７は長板状のベース板８と同ベース板８を基部として延出される牛の角状に先端側が窄まった形状のフック本体９を一体形成した金属プレートから構成されている。フック本体９は補強プレート３ａ方向（幅木本体板４の長手方向の外方）が内側湾曲部９ａとなるように全体に湾曲形成されており、その厚み方向が幅木本体板４の幅方向と略一致する。図３及び図４（ａ）に示すように、フック本体９はベース板８の外端（補強プレート３ａ寄り）よりも若干後退した位置を基部とし、この基部位置ではフック本体９はベース板８よりも後退した位置にあり、延出された先端位置でベース板８の外端と同程度の外方への進出状態とされる。フック本体９は補強プレート３ａ方向に延出されると同時に隣接した各透孔５方向に向って傾斜させられており、上下のフック本体９は図１１のように側方視において先端ほど拡開されて配置されることとなる。図３（ａ）に示すように、各フック本体９はフック７に隣接した各透孔５に面して配置されている。本実施例ではフック本体９が第１のフック部材に相当し、フック本体９の基部に対して補強プレート３ａ方向に突出したベース板８の外端とフック本体９の基部の間（この部分を外端面８ａとする）が第１の外方延出面に相当する。尚、この幅木本体板４の右端部側を不動端側とする。
【００１５】
図１〜図４に示すように、幅木本体板４の外面において左端部側寄りには揺動部材としての揺動プレート１５が配設されている。揺動プレート１５は幅木本体板４と同じ上下幅の本体１６を備えている。本体１６の上下縁は屈曲形成されて幅木本体板４を上下から挟み込んで支持する挟持片１７とされている。
本体１６の中央外寄り（補強プレート３ｂ寄り）位置には上下に長い長円形状の透孔１９が形成されている。透孔１９の外方には内側に屈曲された挿入片２０が本体１６と一体的に形成されている。挿入片２０の先端は屈曲されて抜け止め防止の屈曲部２１とされている。挿入片２０の本体１６寄り位置の上下２か所には長方形形状のロック用透孔２２が形成されている。本体１６の透孔１９を上下から挟んだ位置には一対のフック２３が配設されている。フック２３は幅木本体板４の右端部側に配設された前記フック７と左右鏡像関係となるように取り付けられている。フック２３も長板状のベース板２４と牛の角状に先端側が窄まった形状のベース板２４を基部とするフック本体２５を備えているが、形状はフック７のそれと左右鏡像関係であり構成は同じであるため詳しい説明は省略する。フック本体２５の補強プレート３ｂ方向を向いた側面が内側湾曲部２５ａとされている。ベース板２４の外端とフック本体２５の基部の間を外端面２４ａとする。外端面２４ａが第２の外方延出面に相当する。
【００１６】
一方、図４に示すように揺動プレート１５が重ねられる幅木本体板４側には補強プレート３ｂに上下に長い長方形形状のスリット２７と、スリット２７の内側において幅木本体板４に形成されたスリット２７に平行な小スリット２８が形成されている。
小スリット２８を介してロック機構を構成するロック爪３０が取り付けられている。図１５に示すように、ロック爪３０は小スリット２８の周縁をレールとして案内されるスライド軸３１と揺動プレート１５側に露出されるコマ３２と幅木本体板４側内側に配置されるロック爪本体３３を備えている。ロック爪本体３３側面視においてＬ字状に構成され、短尺部３３ａが作業者の持ち手となり長尺部３３ｂが作用部となる。ロック爪３０は小スリット２８に沿って上下動可能でなおかつ回動可能に遊嵌されている。
揺動プレート１５はその挿入片２０がスリット２７から幅木本体板４側内側に向って挿入され、ロック爪３０が脱落不能に取り付けられた状態で挟持片１７を介して固定ねじ３４によって幅木本体板４に対して水平方向に揺動可能に支持される。
揺動プレート１５は幅木本体板４の左端部に重複配置される第１の揺動位置（図５の状態）と、挿入片２０の先端の屈曲部２１がスリット２７の縁に係合されてそれ以上の開く方向への揺動が規制される第２の揺動位置（図６の状態）との間を移動可能とされている。揺動プレート１５が第１の位置にある場合にはフック本体２５は各フック本体２５に隣接した各透孔５に面して配置されることとなる。揺動プレート１５が第１の揺動位置にある場合にロック爪３０のコマ３２は本体１６の透孔１９内に配置されるため、コマ３２が本体１６に干渉することはない。尚、この幅木本体板４の左端部側を揺動端側とする。
【００１７】
図１〜図３に示すように、幅木本体板４の内面側には隙間プレート３５が収納されている。隙間プレート３５は正面視において長方形形状のアルミ合金製の板体とされている。隙間プレート３５は本実施例では押し出し成型で形成されており、図１１に示すように内部が補強リブの入った中空構造とされている。隙間プレート３５の基部位置両端には長手方向の外方に向って張り出した回動軸３８が固着されている。
一方、幅木本体板４の長手方向の両端寄り位置であって屈曲部２ｂ側には長穴３７が形成された支持プレート３６が固着されている。隙間プレート３５は支持プレート３６の長穴３７に対して回動軸３８によって掛止されている。隙間プレート３５の表面には滑り止め用の複数の小突条４０が長手方向に沿って形成されている。隙間プレート３５の裏面の基部寄り位置には長手方向に沿って突条３９が形成されている。
図１１（ａ）に示すように、幅木本体板４は屈曲部２ｂ側が上側に配置された状態で使用される際には隙間プレート３５は支持プレート３６の長穴３７に対して回動軸３８は最も下がった位置で吊り下げられる。この際、隙間プレート３５の先端寄りは幅木本体板４の下側に配置された屈曲部２ａの先端よりも下方位置に進出するため、屈曲部２ａと干渉して幅木本体板４に収納された位置から外方に揺動されて露出されることがない。
一方、図１１（ｂ）に示すように、幅木本体板４は屈曲部２ａ側が上側に配置された状態で使用される際には隙間プレート３５は長穴３７の分だけ移動して仮想線で示すように隙間プレート３５の先端寄りが屈曲部２ｂの先端と干渉しない位置に後退するため、隙間プレート３５は回動軸３８を中心に実線で示すように幅木本体板４に収納された位置から外方に倒伏することが可能となる。隙間プレート３５は倒伏状態で図１１（ｂ）に示すように基部寄りが屈曲部２ｂの先端に沿って支持されることとなる。また、万一隙間プレート３５の回動軸３８が支持プレート３６から脱落したり回動軸３８が折れたりするような不具合があっても隙間プレート３５の裏面の基部寄りに形成された突条３９によってずり落ちが防止されるようになっている。
【００１８】
次に、このように構成された幅木１の使用方法の一例について説明する。尚、以下の説明において内側又は前方とは図１３の踏板５３側を言い、外側又は後方とは同図における右方向を言うものとする。
図１２及び図１３に示すように、建築現場においては長手方向に所定の間隔で立設された前後一対の円柱形状の支柱５１と、内側及び外側の支柱５１に対して支持された梁部材としての円柱形状のブラケット５２とによって縦横に組まれた架構が構成される。そして、ブラケット５２に足場の各階の床面としての踏板５３をフック５４を介して架設させることで被建築物の外壁Ｅに沿って建築足場の通路が構築されこととなる。
踏板５３の幅はブラケット５２の長さに対して短いため、例えば図１４に示すように特に踏板５３をブラケット５２に架設させた場合に踏板５が外壁Ｅに近い側（内側）の支柱５１に寄った場合には外方に大きな隙間Ｓが形成される。本実施例では左右の支柱５１間をこの幅木１を装着して封鎖すると同時に、幅木１の隙間プレート３５を倒伏させてこの隙間Ｓを封鎖するものとする。そのため、幅木本体板４において屈曲部２ａが上方に配置されるような向きで装着作業を行うものとする。
【００１９】
図６に示すように、作業者は揺動プレート１５を第２の揺動位置に揺動させて幅木１を支持し図１６（ａ）に示すように建築足場の通路側（内側）から幅木１を左右の支柱５１ａ，５１ｂに対して接近させていく。この際に作業者はなるべく揺動端側で幅木１を支持し、不動端側から支柱５１ａに押しつけるように操作する。まず、不動端側を図１６（ａ）のようなフック本体９の内側湾曲部９ａとベース板８の外端面８ａによって支柱５１ａが挟持される位置にごく接近させる（当接してもよい）。そして、揺動端側についても支柱５１ｂがフック本体２５の内側湾曲部２５ａとベース板２４の外端面２４ａによって挟持される位置に配置する。
図６及び図１６（ａ）の状態では左右のフック本体９，２５の間隔が図５及び図１６（ｂ）のような第１の揺動位置と比較して接近した状態であるため左右の支柱５１ａ，５１ｂに対してフック本体９，２５の先端は若干のクリアランスがあり、その結果両フック本体９，２５を支柱５１ａ，５１ｂに干渉させずに図１６（ａ）のような位置に配置することが可能である。この状態では幅木本体板４は支柱５１ａ，５１ｂを結ぶ線分Ｌに対して斜めに傾斜して配置されることとなる。
【００２０】
次いで、このように左右両側のフック本体９，２５の内側湾曲部９ａ，２５ａがそれぞれ支柱５１ａ，５１ｂの外周を包囲する位置に配置された状態で、揺動プレート１５を第２の揺動位置から第１の揺動位置に揺動させるようにする。具体的には揺動プレート１５を揺動させるのではなく、作業者は幅木本体板４を内側から外側に向って押しつけるようにする。すると図１６（ａ）の状態では支柱５１ａ，５１ｂを結ぶ線分Ｌに対して斜めに傾斜して配置されている幅木本体板４が線分Ｌと平行な位置に移動することとなる。つまり、揺動プレート１５は幅木本体板４側を揺動させることで幅木本体板４が第１の揺動位置に相対的に揺動させられることとなる。
この位置においては、左右の支柱５１ａ，５１ｂの間隔が第２の揺動位置の場合と比較して離間することとなるため、左右の支柱５１ａ，５１ｂに対してフック本体９，２５の先端はクリアランスがなくなる。そのため幅木１を内側方向に移動させようとしても、フック本体９，２５が支柱５１ａ，５１ｂに干渉し、外側方向に移動させようとしても、ベース板８，２４の外端面８ａ，２４ａが支柱５１ａ，５１ｂに干渉するため移動させることができない。
尚、フック７，２３は上下の離間した２か所に形成されているため、揺動端側、あるいは不動端のいずれかを持ち上げれば（つまり正面視において左右を傾斜させる）かえってフック本体９，２５と支柱５１ａ，５１ｂとのより大きな干渉が生じるためそのような取り外しもできない。
【００２１】
このように幅木１が左右の支柱５１ａ，５１ｂを封鎖する位置に固定された状態で、作業者は揺動プレート１５が第２の揺動位置方向に揺動しないようにロックをする。図７に示すように、第１の揺動位置にある揺動プレート１５は幅木本体板４に外側から重複されれいるため幅木本体板４の内側に本体１６の挿入片２０が突出されてロック爪本体３３に隣接した位置に配置されている。作業者はロック爪本体３３の短尺部３３ａを操作して自重で先端が下方を向いている長尺部３３ｂをスライド軸３１を回動中心として回動させて、図８に示すように挿入片２０に形成されたこの向きにおける下側に配置されたロック用透孔２２に挿入する。
一方、このように幅木１を左右の支柱５１ａ，５１ｂを封鎖する位置に配置した段階で踏板５３との間には隙間Ｓが形成されるため、図１１（ｂ）及び図１３に示すように隙間プレート３５を倒伏させて隙間Ｓを封鎖する。隙間プレート３５の倒伏はロック後であってもロック前であってもどちらでも構わない。
隙間プレート３５は幅木本体板４の厚みから外方に突出することなく収納されている。下部位置にある回動軸３８を回動支点として隙間プレート３５を回動させると隙間プレート３５は幅木本体板４の外側に倒伏させられて露出されてくる（図１１（ｂ）の実線）。本実施例では回動軸３８の位置は踏板５３の上面よりも上方位置にあるため、倒伏した隙間プレート３５は先端側が斜めに垂れ下って踏板５３上に接地される。このとき、隙間プレート３５の基端側は図１１（ｂ）のように屈曲部２ｂの先端によって支持されることとなる。
【００２２】
次に、踏板５との間に隙間Ｓがない、あるいはそれほど大きくない場合の幅木１の装着作業について簡単に説明する。この場合には隙間プレート３５を使用する必要はないため、幅木本体板４を上下反転させる。つまり屈曲部２ｂが上方側に配置されるようにして左右の支柱５１ａ，５１ｂ間に装着するようにする。幅木本体板４を上下反転させると隙間プレート３５は図１１（ａ）のように上方から吊下げられるような位置関係となるため隙間プレート３５が倒伏することはない。左右の支柱５１ａ，５１ｂに対する取り付け方法については上記に準ずる。尚、ロック作業においては幅木本体板４が反転させられることから図９に示すようにロック爪本体３３も下垂方向が上記とは逆転することとなる。従って、作業者はロック爪本体３３の短尺部３３ａを操作して自重で先端が下方を向いている長尺部３３ｂを回動させて、図１０に示すように挿入片２０に形成されたこの向きにおける下側に配置されたロック用透孔２２（上記では上側に配置されていたロック用透孔２２）に挿入する。
また、このように構成された幅木１はフック本体９，２５が透孔５に面して配置されるため、図１８のように同方向に隣接させて積載させると突出したフック本体９，２５は隣接した幅木１の幅木本体板４を透孔５位置で通過して隣接する幅木１の幅木本体板４との干渉を避けることができるため場所を取らず収納あるいは運搬時において有利である。
【００２３】
このように構成することにより本実施例は以下のような効果を奏する。
（１）揺動プレート１５の揺動動作のみで、簡単に幅木１を支柱５１ａ，５１ｂに装着することができ、作業も簡単で幅木１自体も内側や外側に突出する部材がないという外観のシンプルがあるため、装着しても作業の邪魔になることもない。
（２）作業者は内側からロック爪本体３３をロック状態として揺動プレート１５が第２の揺動位置方向に揺動するのを防止できるため、確実に幅木１を装着位置に固定することができる。
（３）幅木本体板４を上下反転させても、支柱５１ａ，５１ｂへの装着作業は変わることなく、また、ロック爪本体３３のロック操作も幅木本体板４を上下反転させてもいずれも同じようにできるため、上下の向きによって作業性が異ならないので作業効率がよい。
（４）幅木１と踏板５との間に隙間Ｓが形成される場合には隙間プレート３５を倒伏させることでその隙間Ｓを埋めることができる。
（５）隙間プレート３５を使用する必要がない場合には幅木本体板４を上下反転させるだけで隙間プレート３５は収納状態で保持されるため隙間プレート３５が邪魔になることがない。
（６）隙間プレート３５は基端側では屈曲部２ｂの先端によって支持されることとなり、回動軸３８には荷重の負荷がかからないようになっているため、回動軸３８周辺に不具合が生じるおそれが少なくなる。
（７）隙間プレート３５の裏面には突条３９が形成されているため、回動軸３８が折れたりするような不具合があっても隙間プレート３５がずり落ちることがない。
【００２４】
なお、この発明は前記実施例に限定されるものではなく、次のように変更して具体化することも可能である。
・上記では幅木本体板４の左右方向において上下一対のフック７，２３を備えるようにしていたが、片側３本以上のフック７，２３とすることも可能である。
・上記ではベース板８，２４の外端面８ａ，２４ａが第１及び第２の外方延出面に相当したが、ベース板８，２４を設けずとも幅木本体板４の外面や揺動プレート１５の本体１６の外面をもって第１及び第２の外方延出面とすることも可能である。その他、第１及び第２の外方延出面は要はフック本体９，２５と協働して支柱５１ａ，５１ｂを挟持できるような構成であれば構わない。
・幅木本体板４、固定部本体９、クサビ板８、フック２３の形状は上記実施例の形状に限定されるものではなく、その形状、大きさは本発明の趣旨を逸脱しない範囲において自由とする。
・上記実施例の建築足場では通路の外側にのみ幅木１をセットしたが、内側にも配置するようにしてももちろん構わない。その場合内側には隙間Ｓがないので外側とは異なり幅木本体板４を上下反転させて隙間プレート３５を使用しないようにすることが好ましい。  ・フック本体９，２５の支柱５１ａ，５１ｂを包囲する包囲領域は支柱の外周の半分以下の領域を包囲して、なおかつ揺動プレート１５が第１の揺動位置にあるときには干渉して取り外せず、第２の揺動位置にあるとき取り外せるような包囲領域であれば、形状に応じて適宜調整可能である。
・幅木本体４等各部材の材質は金属製としたが、本発明の目的を達成できればその他の素材でも構わない。
その他、本発明の趣旨を逸脱しない態様で実施することは自由である。
【符号の説明】
【００２５】
１…足場用幅木、４…幅木本体板、７…第１のフック部材としてのフック、２３…第２のフック部材としてのフック、外端面８ａ，２４ａ…第１の外方延出面としての外端面、９ａ，２５ａ…湾曲部、１５…揺動部材としての揺動プレート、３０…ロック機構を構成するロック爪、５１（５１ａ，５１ｂ）…支柱、５２…梁部材としてのブラケット、５３…踏板。
【図１】
2011038354.tif 000003
【図２】
2011038354.tif 000004
【図３】
2011038354.tif 000005
【図４】
2011038354.tif 000006
【図５】
2011038354.tif 000007
【図６】
2011038354.tif 000008
【図７】
2011038354.tif 000009
【図８】
2011038354.tif 000010
【図９】
2011038354.tif 000011
【図１０】
2011038354.tif 000012
【図１１】
2011038354.tif 000013
【図１２】
2011038354.tif 000014
【図１３】
2011038354.tif 000015
【図１４】
2011038354.tif 000016
【図１５】
2011038354.tif 000017
【図１６】
2011038354.tif 000018
【図１７】
2011038354.tif 000019